(57)【要約】【課題】  サイフォニング現象を効果的に防ぐ。【解決手段】  シリンジ装着部１１に装着されるシリンジ注入器１のピストン１ａを押動部１３により押動して、シリンジ注入器１のシリンジ１ｂ内の液体を、シリンジ１ｂの先端に接続される可撓性の輸液チューブ２へ送り込むようにしたシリンジポンプにおいて、異常を感知してその感知信号を出力する異常感知部ａ１〜ａ３と、輸液チューブ２を外部から押圧変形して閉鎖するバルブ装置ａ４とを具備し、異常感知部ａ１〜ａ３による感知信号があったことを条件に、バルブ装置ａ４を閉動するようにした。【選択図】  図１
2015046397.tif 000002
【特許請求の範囲】
【請求項１】
シリンジ装着部に装着されるシリンジ注入器のピストンを押動部により押動して、前記シリンジ注入器のシリンジ内の液体を、前記シリンジの先端に接続される可撓性の輸液チューブへ送り込むようにしたシリンジポンプにおいて、
異常を感知してその感知信号を出力する異常感知部と、前記輸液チューブを外部から押圧変形して閉鎖するバルブ装置とを具備し、前記異常感知部による感知信号があったことを条件に、前記バルブ装置を閉動するようにしたことを特徴とするシリンジポンプ。
【請求項２】
前記異常感知部は、前記シリンジ注入器の装着状態の異常を感知するように構成されていることを特徴とする請求項１記載のシリンジポンプ。
【請求項３】
シリンジ径方向への移動により前記シリンジ装着部との間に前記シリンジを挟持するシリンジクランプを備え、
前記異常感知部は、前記シリンジクランプのシリンジ径方向の位置が、予め設定された範囲外であることを感知するように構成されていることを特徴とする請求項２記載のシリンジポンプ。
【請求項４】
前記シリンジの後端側のフランジ部を、挟持基部と、該挟持基部に対し接近離間するフランジ押さえとによって両側から挟む挟持機構を備え、
前記異常感知部は、前記フランジ押さえのシリンジ軸方向の位置が、予め設定された範囲外であることを感知するように構成されていることを特徴とする請求項２又は３記載のシリンジポンプ。
【請求項５】
前記押動部の前端側には、前記シリンジ注入器が装着された際に該シリンジ注入器のピストンの後端部により後方へ押圧されるように被押圧部が設けられ、
前記異常感知部は、前記被押圧部が押圧されていないことを感知するように構成されていることを特徴とする請求項１〜３何れか１項記載のシリンジポンプ。
【請求項６】
前記シリンジ装着部よりも前側に、前記シリンジ前端の吐出部に接続される輸液チューブを挿通して前方へ導くチューブ挿通部が設けられ、
前記バルブ装置は、前記チューブ挿通部に挿通される輸液チューブを径外方向側から押圧変形して閉鎖するように構成されていることを特徴とする請求項１〜５何れか１項記載のシリンジポンプ。
【請求項７】
シリンジ注入器及び輸液チューブを装着可能な本体部と、該本体部の前面側を開閉可能に閉鎖する蓋部材とを備えたシリンジポンプであって、
前記シリンジ装着部は、前記本体部の前面側に配置されるとともに、横向きのシリンジ注入器を、手前側から嵌め合せ可能な凹状に形成され、
前記チューブ挿通部は、前記本体部の前面側で前記シリンジ装着部の吐出側へ連続するように配置され、横方向へわたる輸液チューブを、手前側から嵌め合せ可能な凹状に形成されていることを特徴とする請求項６記載のシリンジポンプ。
【発明の詳細な説明】
【技術分野】
【０００１】
本発明は、装着されるシリンジ注入器を動作させて、薬液や血液等の各種液体を吐出するシリンジポンプに関するものである。
【背景技術】
【０００２】
従来、この種の発明には、例えば、特許文献１に記載されるもののように、シリンジ注入器（シリンジ３）が載置される装着部（５）や、シリンジ注入器（シリンジ３）のピストン（吸子２３）を押動する押動部（スライダ２４）等を備え、前記シリンジ注入器の先端にチューブを接続し、前記押動部により前記ピストンを押動することで、前記シリンジ注入器内に充填されている薬液や血液等を前記チューブへ送り出すようにシリンジポンプがある。【０００３】
前記従来構造のシリンジポンプによれば、ベッドに横たわった患者に薬液や血液等の液体を注入している最中、患者が腕を挙げたり起き上がったり等することで、前記チューブの下流側の位置が、前記シリンジ注入器よりも上側になった場合や、前記シリンジポンプの設置位置が低すぎた場合でも、通常は、前記ピストンの後端部が前記押動部により押圧されているため、チューブ内の前記液体に作用する逆方向の圧力により、前記ピストンが逆方向へ動いて前記液体が逆流するようなこと（サイフォニング現象と称される。）を防ぐことができる。【０００４】
しかしながら、万が一、前記シリンジ注入器が前記シリンジポンプに対し正常にセットされておらず、前記ピストンが後退可能な状態になっていた場合には、前記サイフォニング現象が発生してしまう可能性がある。
【先行技術文献】
【特許文献】
【０００５】
【特許文献１】特開平５−４２２０９号公報
【発明の概要】
【発明が解決しようとする課題】
【０００６】
本発明は上記従来事情に鑑みてなされたものであり、その課題とする処は、サイフォニング現象を効果的に防ぐことができるシリンジポンプを提供することにある。
【課題を解決するための手段】
【０００７】
上記課題を解決するための一手段は、シリンジ装着部に装着されるシリンジ注入器のピストンを押動部により押動して、前記シリンジ注入器のシリンジ内の液体を、前記シリンジの先端に接続される可撓性の輸液チューブへ送り込むようにしたシリンジポンプにおいて、異常を感知してその感知信号を出力する異常感知部と、前記輸液チューブを外部から押圧変形して閉鎖するバルブ装置とを具備し、前記異常感知部による感知信号があったことを条件に、前記バルブ装置を閉動するようにしたことを特徴とする。
【発明の効果】
【０００８】
本発明は、以上説明したように構成されているので、サイフォニング現象を効果的に防ぐことができる。
【図面の簡単な説明】
【０００９】
【図１】本発明に係るシリンジポンプの一例について、蓋部材が閉鎖した状態を示す全体斜視図である。
【図２】同シリンジポンプについて、蓋部材が開いた状態を示す全体斜視図である。
【図３】図１の(III)-(III)線に沿う横断面図であり、異常感知部の構造の一例を示している。
【図４】フランジ部の奥側に構成される挟持機構及び異常感知部の一例を示す縦断面図である。
【図５】押動部内に構成される被押圧部及び異常感知部の一例を示す縦断面図である。
【図６】図２の(VI)-(VI)線に沿う横断面図であり、（ａ）は蓋部材の閉じた状態においてバルブ装置が輸液チューブを開放した状態を示し、（ｂ）は蓋部材の開いた状態においてバルブ装置が輸液チューブを閉鎖した状態を示している。
【図７】本発明に係る異常感知部について、流量センサを用いた場合の制御システム構成を示している。
【図８】本発明に係る異常感知部について、シリンジ装着検出センサを用いた場合の制御システム構成を示している。
【発明を実施するための形態】
【００１０】
本実施の形態の第一の特徴は、シリンジ装着部に装着されるシリンジ注入器のピストンを押動部により押動して、前記シリンジ注入器のシリンジ内の液体を、前記シリンジの先端に接続される可撓性の輸液チューブへ送り込むようにしたシリンジポンプにおいて、異常を感知してその感知信号を出力する異常感知部と、前記輸液チューブを外部から押圧変形して閉鎖するバルブ装置とを具備し、前記異常感知部による感知信号があったことを条件に、前記バルブ装置を閉動するようにした。
この構成によれば、異常感知部によって異常が感知されその感知信号が出力されると、輸液チューブがバルブ装置により外部から押圧変形されて閉鎖する。よって、例えば、患者が腕を挙げたり起き上がったりして、輸液チューブの先端側がシリンジポンプよりも高くなったとして、チューブ内の液体が逆流するサイフォニング現象を防ぐことができる。
【００１１】
第二の特徴としては、前記異常感知部は、前記シリンジ注入器の装着状態の異常を感知するように構成されている。
この構成によれば、シリンジ注入器の装着状態の異常が異常感知部により感知されると、輸液チューブがバルブ装置により外部から押圧変形されて閉鎖する。
【００１２】
第三の特徴としては、シリンジ径方向への移動により前記シリンジ装着部との間に前記シリンジを挟持するシリンジクランプを備え、前記異常感知部は、前記シリンジクランプのシリンジ径方向の位置が、予め設定された範囲外であることを感知するように構成されている。
この構成によれば、シリンジの正常に装着されていない場合や、想定外のサイズのシリンジが装着された場合等により、シリンジクランプの位置が、予め設定された範囲外になると、輸液チューブがバルブ装置により押圧変形されて閉鎖する。
【００１３】
第四の特徴としては、前記シリンジの後端側のフランジ部を、挟持基部と、該挟持基部に対し接近離間するフランジ押さえとによって両側から挟む挟持機構を備え、前記異常感知部は、前記フランジ押さえのシリンジ軸方向の位置が、予め設定された範囲外であることを感知するように構成されている。
この構成によれば、前記フランジ部が挟持機構から外れた場合や、前記フランジの厚みが規格外であった場合等に、フランジ押さえのシリンジ軸方向の位置が、予め設定された範囲外であると判断され、この判断に応じて、輸液チューブがバルブ装置により外部から押圧変形されて閉鎖する。
【００１４】
第五の特徴としては、前記押動部の前端側には、前記シリンジ注入器が装着された際に該シリンジ注入器のピストンの後端部により後方へ押圧されるように被押圧部が設けられ、前記異常感知部は、前記被押圧部が押圧されていないことを感知するように構成されている。
この構成によれば、シリンジ注入器の装着不良等により、前記被押圧部が押圧されない場合に、輸液チューブがバルブ装置により外部から押圧変形されて閉鎖する。
【００１５】
第六の特徴としては、前記シリンジ装着部よりも前側に、前記シリンジ前端の吐出部に接続される輸液チューブを挿通して前方へ導くチューブ挿通部が設けられ、前記バルブ装置は、前記チューブ挿通部に挿通される輸液チューブを径外方向側から押圧変形して閉鎖するように構成されている。
この構成によれば、バルブ装置が作動した際に、輸液チューブを、シリンジ注入器の吐出部に近い位置で閉鎖することができる。
【００１６】
第七の特徴としては、シリンジ注入器及び輸液チューブを装着可能な本体部と、該本体部の前面側を開閉可能に閉鎖する蓋部材とを備えたシリンジポンプであって、前記シリンジ装着部は、前記本体部の前面側に配置されるとともに、横向きのシリンジ注入器を、手前側から嵌め合せ可能な凹状に形成され、前記チューブ挿通部は、前記本体部の前面側で前記シリンジ装着部の吐出側へ連続するように配置され、横方向へわたる輸液チューブを、手前側から嵌め合せ可能な凹状に形成されている。
この構成によれば、シリンジ注入器及び輸液チューブを、本体部の前面側から容易且つ確実に装着することができる。このため、シリンジ注入器や輸液チューブの装着不良に起因して、輸液チューブ内の液体が流動し易くなり、サイフォニング現象を生じるようなことを効果的に防ぐことができる。
【００１７】
なお、後述する実施例では、上記特徴の一部を含まずに、以下の構成要件を必須とした発明も開示している。
すなわち、この発明は、シリンジ注入器及び輸液チューブを装着可能な本体部と、該本体部の前面側を開閉可能に閉鎖する蓋部材とを備えたシリンジポンプであって、前記本体部の前面側には、横向きのシリンジ注入器を手前側から嵌め合せ可能な凹状のシリンジ装着部と、該シリンジ装着部の吐出側へ連続するとともに横方向へわたる輸液チューブを手前側から嵌め合せ可能な凹状のチューブ挿通部とが設けられていることを特徴とする。
この発明によれば、シリンジ注入器及び輸液チューブを、本体部の前面側から容易且つ確実に装着することができる。このため、シリンジ注入器や輸液チューブの装着不良に起因する不具合等を防止することができる。
【実施例】
【００１８】
次に、上記特徴を有する好ましい実施例を、図面に基づいて詳細に説明する。【００１９】
シリンジポンプＡは、図１及び図２に示すように、シリンジ注入器１及び輸液チューブ２を装着可能な本体部１０と、該本体部１０の前面側を開閉可能に閉鎖する蓋部材２０とを具備し、本体部１０のシリンジ装着部１１に装着されるシリンジ注入器１のピストン１ａを押動部１３により押動して、シリンジ注入器１のシリンジ１ｂ内の液体を、シリンジ１ｂの先端に接続される可撓性の輸液チューブ２へ送り込むように構成されている。
そして、このシリンジポンプＡは、異常を感知してその感知信号を出力する第一〜三の異常感知部ａ１，ａ２，ａ３（図３〜図５参照）と、輸液チューブ２を外部から押圧変形して閉鎖するバルブ装置ａ４（図６参照）とを具備し、第一〜三の異常感知部ａ１，ａ２，ａ３のうちの何れかの感知信号があったことを条件に、バルブ装置ａ４を作動させて、輸液チューブ２を閉鎖する。【００２０】
シリンジポンプＡに装着されるシリンジ注入器１は、円筒状のシリンジ１ｂと、該シリンジ１ｂに対し後方側から挿入されたピストン１ａとを具備している。【００２１】
シリンジ１ｂは、前端側の底壁に吐出部を有する略有底円筒状の筒部１ｂ１と、該筒部１ｂ１の後端側で環状に拡径されたフランジ部１ｂ２とから構成され、筒部１ｂ１の前端の吐出部には、輸液チューブ２が、シリンジ１ｂ内と連通するように接続される（図２参照）。【００２２】
ピストン１ａは、シリンジ１ｂに挿入され前後へ摺動される軸状の部材であり、その後端部がシリンジポンプＡの押動部１３に押圧されて前進することで、シリンジ１ｂ内の液体を吐出部から前方へ押し出す。なお、このピストン１ａは、当業者によって押子と称される場合もある。【００２３】
また、輸液チューブ２は、合成樹脂材料からなる可撓性のチューブである。この輸液チューブ２は、径方向の外側から押圧されると、内方向へ弾性的に変形して内部通路を閉鎖する。【００２４】
また、シリンジポンプＡの本体部１０は、手前面側（図３によれば左側）を横断面略凹状に開口しており、その凹状部分には、図２に示すように、シリンジ１ｂをその長手方向へわたって接触させるシリンジ装着部１１と、該シリンジ装着部１１よりも前側で輸液チューブ２を挿通するチューブ挿通部１２とを有する。
また、この本体部１０から後方（図２によれば右方）へ突出するように押動部１３が設けられる。【００２５】
シリンジ装着部１１の後端側（図２によれば右端側）には、シリンジ装着部１１との間にシリンジ１ｂを挟むようにシリンジクランプ３１が設けられる（図３参照）。
このシリンジクランプ３１は、シリンジ装着部１１と対向して凹曲面を有する部材であり、シリンジ装着部１１に対し接近したり離隔したりする。
このシリンジクランプ３１の下端側は、図３に示すように、シリンジ１ｂに対し直交するスライド軸３２に接続されている。【００２６】
このスライド軸３２は、本体部１０内で軸方向へ進退するように本体部１０内に支持され、付勢部材３３によって後方（図３によれば右方向）へ付勢されている。
付勢部材３３は、図示例によれば、圧縮コイルスプリングであり、一端側を本体部１０内に掛止するとともに、その他端側をスライド軸３２に掛止して、該スライド軸３２を後方へ弾発する。なお、付勢部材３３の他例としては、引張りスプリングやその他の弾性体を用いた態様とすることも可能である。【００２７】
また、スライド軸３２の後端部は、第一の異常感知部ａ１に接続される。
第一の異常感知部ａ１は、シリンジクランプ３１のシリンジ１ｂに対する接近離間方向の位置が、予め設定された範囲から外れたことを感知して、その感知信号を出力するように構成される。
より具体的に説明すれば、図示例の第一の異常感知部ａ１は、スライド軸３２のスライド方向に対し平行に設けられた可変抵抗部３４（例えば、リニアポテンショメータ）と、スライド軸３２の後端側に接続されたレバー部３５とを具備し、レバー部３５の直線方向の位置に応じて可変抵抗部３４の抵抗値を変化させ、この抵抗値の変化により出力電圧を変化させる。【００２８】
この第一の異常感知部ａ１による出力電圧は、制御部ａ５（図７参照）に入力され、該制御部ａ５は、前記電圧が所定範囲内であるか否かを判断する。
ここで、前記所定範囲は、当該シリンジポンプＡに設置可能なシリンジ注入器１のシリンジ外径範囲に対応して予め設定された値である。すなわち、当該シリンジポンプＡにより使用可能なシリンジ注入器１のシリンジ外径が、例えば、φ５ｍｍ〜φ５０ｍｍである場合、この外径範囲のシリンジ１ｂをシリンジクランプ３１により挟んだ場合の第一の異常感知部ａ１の出力範囲を、前記所定範囲としている。
したがって、シリンジポンプＡに対し、前記外径範囲以外のシリンジ注入器が設置された場合や、シリンジ注入器１がシリンジクランプ３１により正常に挟まれなかった場合等には、第一の異常感知部ａ１の出力電圧が、前記所定範囲外となり、制御部ａ５（図７参照）が異常と認識する。【００２９】
また、本体部１０におけるシリンジ後端側には、シリンジ１ｂのフランジ部１ｂ２を、シリンジ軸方向の両側から挟持したり解放したりする挟持機構４０が設けられる（図２及び図４参照）。
この挟持機構４０は、図４に示すように、フランジ部１ｂ２の一部分を前方側から受ける挟持基部４１と、該挟持基部４１に対し後方から接近離間するフランジ押さえ４２と、該フランジ押さえ４２と一体的に進退するように支持されたスライド体４３と、フランジ押さえ４２及びスライド体４３を前方（図４によれば左方向）へ付勢する付勢部材４４と、フランジ押さえ４２及びスライド体４３の進退方向の位置を感知する第二の異常感知部ａ２とを備える。【００３０】
挟持基部４１は、図４に示すように、シリンジ軸方向に対し略直交する長尺状の部分であり、本体部１０内において進退不能に固定されている。
この挟持基部４１は、本体部１０に対しシリンジ注入器１が装着された際に、シリンジ注入器１におけるシリンジ１ｂ後端のフランジ部１ｂ２の一部分を前方側から受ける。【００３１】
フランジ押さえ４２は、挟持基部４１と略平行な板状の部材である。このフランジ押さえ４２は、スライド体４３と共に前後へスライドするように、スライド体４３に一体的に接続されている。【００３２】
スライド体４３は、本体部１０内で進退するスライド本体部４３ａと、該スライド本体部４３ａから後方へ延設された複数のスライド軸４３ｂと、スライド本体部４３ａの前端側に設けられた掛止部４３ｃとを具備してなる。
スライド軸４３ｂは、図４に示す一例によれば、上下方向へ間隔を置いて配置された二つの軸状部材であり、それぞれ、挟持基部４１に挿通され、その後端部にフランジ押さえ４２を接続している。
掛止部４３ｃは、図示例によれば、フック状に形成され、第二の異常感知部ａ２のレバー部４６を後方へ引っ張るように該レバー部４６に掛けられている。【００３３】
また、付勢部材４４は、圧縮コイルスプリングであり、各スライド軸４３ｂに環状に装着され、その後端を挟持基部４１に当接させるとともに前端をスライド本体部４３ａに当接させることで、フランジ押さえ４２及びスライド体４３を前方（図４によれば左方向）へ付勢している。なお、この付勢部材４４は、引張りバネや板バネ、ゴム等の弾性体等を用いた構成に置換することが可能である。【００３４】
そして、第二の異常感知部ａ２は、フランジ押さえ４２のシリンジ軸方向の位置が、予め設定された範囲から外れたことを感知するように構成されている（図４参照）。
詳細に説明すれば、この第二の異常感知部ａ２は、シリンジ軸方向（図４によれば左右方向）に対し平行に設けられた可変抵抗部４５（例えば、リニアポテンショメータ）と、掛止部４３ｃに掛止されたレバー部４６とを具備し、レバー部４６の直線方向の位置に応じて可変抵抗部４５の抵抗値を変化させ、この抵抗値の変化により出力電圧を変化させる。
なお、図４中、符号４７は、レバー部４６を前進方向へ引っ張って掛止部４３ｃのフック状部分に当接させるスプリングである。【００３５】
この第二の異常感知部ａ２による出力電圧は、制御部ａ５に入力され、該制御部ａ５は、前記電圧が所定範囲内であるか否かを判断し、所定範囲から外れている場合には、異常と認識する。
ここで、前記所定範囲は、当該シリンジポンプＡに設置可能なシリンジ注入器１のフランジ部１ｂ２の厚み範囲に対応して予め設定された値である。すなわち、当該シリンジポンプＡにより使用可能なシリンジ注入器１のフランジ部１ｂ２の厚みは、数種類想定される。そして、これら数種類の厚みのフランジ部１ｂ２を、挟持機構４０により挟んだ場合の第二の異常感知部ａ２の出力範囲が、前記所定範囲とされる。
したがって、シリンジポンプＡに対し、想定外の厚みのフランジ部を有するシリンジ注入器が設置された場合や、シリンジ注入器の設置不良によってフランジ部が挟持機構４０に挟持されていない場合等には、第二の異常感知部ａ２の出力電圧が、前記所定範囲外となることに基づき、制御部ａ５が異常と認識する。【００３６】
また、押動部１３は、図示しない電動モータや、該電動モータの回転運動を直線運動に変換する機構（例えば、ピニオンラック機構等）等によって、シリンジポンプＡの本体部１０に対し進退して、その前進時に、シリンジ注入器１のピストン１ａを押し動かすように構成される。そして、この押動部１３内には、第三の異常感知部ａ３が構成される。【００３７】
第三の異常感知部ａ３は、図５に示すように、シリンジ注入器１が装着された際にピストン１ａの後端部により後方へ押圧されるように押動部１３の前端側に設けられた被押圧部５１と、被押圧部５１と連動して押動部１３内を進退するように設けられたスライド体５２と、該スライド体５２に係合して揺動する揺動体５３と、該揺動体５３の揺動を検出するセンサ部５４とを具備してなり、センサ部５４の信号により、被押圧部５１がピストン１ａに押圧されているか否かを感知し、その感知信号を出力する。【００３８】
被押圧部５１は、押動部１３のケーシング１３ａから前方へ突出するととともに、ケーシング１３ａに相対し後方へスライドするように設けられる。
この被押圧部５１は、図５に例示するように、ケーシング１３ａから前方へ突出する弾性変形部５１ａ（例えば、ゴム等）と、該弾性変形部５１ａを内部側から受ける断面横向きＴ字状の被押圧基部５１ｂと、該被押圧基部５１ｂの中心側の軸部５１ｃとを備え、一体的に進退するように構成される。【００３９】
スライド体５２は、被押圧部５１に当接されて後方へスライドし、後述する付勢部材５５の付勢力により前進するように、押動部１３内に設けられる。【００４０】
揺動体５３は、押動部１３のケーシング１３ａに対し揺動自在に支持され、その揺動支点部ｐ１を境にした一端側（図５によれば下端側）をスライド体５２に掛止するとともに、その他端側（図５によれば上端側）を、センサ部５４に離隔可能に嵌め合せている。この揺動体５３の揺動支点部ｐ１には、付勢部材５５（例えば、ねじりコイルバネ等）が設けられ、この揺動支点部ｐ１により揺動体５３は、前記他端側を揺動体５３から離隔する方向へ付勢される。【００４１】
また、センサ部５４は、略凹字状の光電センサであり、図５の例示によれば、凹部を挟んだ手前側と奥側とのうちの一方に投光部を有するとともに、その他方に受光部を有し、前記投光部から出射される光が揺動体５３に遮られて前記受光部に到達しない場合に、信号を出力する。【００４２】
上記構成の第三の異常感知部ａ３によれば、例えば、シリンジ注入器１が装着されていない場合や、シリンジ注入器１のピストン１ａ部分が外れている場合等、シリンジ注入器１の装着状態の問題により、被押圧部５１が押圧されない場合に、図５に示すように、付勢部材５５の付勢力により被押圧部５１が突出状態に保持されるとともに、揺動体５３がセンサ部５４に挿入された状態に維持される。そして、この状態では、センサ部５４の投光部と受光部の間の光路が、揺動体５３に遮られて、センサ部５４から制御部ａ５（図７参照）へ信号が出力され、制御部ａ５が異常と認識する。【００４３】
また、本体部１０前側のチューブ挿通部１２に対応する位置には、チューブ挿通部１２に挿通される輸液チューブ２を開閉するバルブ装置ａ４が構成される（図２及び図６参照）。
チューブ挿通部１２は、手前側から輸液チューブ２を挿入してガタツキなく保持するように、輸液チューブ２の外径よりも若干大きい上下寸法を有する断面横向きＵ字状に形成される（図６（ａ）参照）。このチューブ挿通部１２の上壁には、後述するバルブ装置ａ４の押圧片６１を挿入するためのスリット孔１２ａが設けられる。【００４４】
バルブ装置ａ４は、チューブ挿通部１２に挿通される輸液チューブ２を径外方向側（図６によれば上側）から押圧変形して閉鎖するように構成されている。
詳細に説明すれば、このバルブ装置ａ４は、スリット孔１２ａ内を通って輸液チューブ２の外周面を押圧する押圧片６１と、該押圧片６１を開放方向へ付勢する付勢部材６２と、該付勢部材６２に抗して押圧片６１を閉鎖方向へ作動させるソレノイド６３とを備える。【００４５】
押圧片６１は、シリンジポンプＡの本体部１０に対し、揺動軸部６１ａを介して所定量回動するように支持される。すなわち、この押圧片６１は、輸液チューブ２から径外方向へ離れた位置（図６（ａ）参照）と、輸液チューブ２を押し潰すようにして全閉した位置（図６（ｂ）参照）との間で回動する。
そして、この押圧片６１の一端側（図６によれば左端側）は、付勢部材６２（図示例によれば引張りコイルバネ）によって、輸液チューブ２から離れる方向へ引っ張られる。
また、同押圧片６１の他端側（図６によれば右端側）は、ソレノイド６３のプランジャ６３ａの直進運動によって回動されるように該プランジャ６３ａ先端側に係合している。この係合構造は、図示例によれば、長孔と軸との嵌り合いによる。【００４６】
ソレノイド６３は、通電されるコイル部６３ｂの磁気力により、磁性体であるプランジャ６３ａを後退させる機構である。プランジャ６３ａの前進は、押圧片６１を介して伝達される付勢部材６２の引張力により行えばよい。なお、他例としては、プランジャ６３ａの前進を付勢部材６２以外の図示しない付勢部材により行うようにしてもよい。【００４７】
よって、上記構造のバルブ装置ａ４によれば、ソレノイド６３が制御部ａ５からの電源供給により励磁して、該ソレノイド６３のプランジャ６３ａが後退すると、該プランジャ６３ａに係合した押圧片６１が閉鎖方向へ回動して輸液チューブ２を押圧変形する。したがって、輸液チューブ２内が流通不能に閉鎖される。
逆に、制御部ａ５からの電源供給が遮断された際には、付勢部材６２の付勢力により、押圧片６１が輸液チューブ２から離れる方向へ回動し、輸液チューブ２が弾性的な復元力により元の円筒状に戻り、輸液チューブ２内が流通可能に開放される。【００４８】
また、蓋部材２０は、本体部１０の前面側を開閉するように、蝶番あるいは軸部材等を介して、本体部１０前面側の下端側に回動自在に支持されている。この蓋部材２０には、流量表示や異常表示等のためのディスプレイ装置２１（例えば、液晶パネル等）や、電源スイッチ２２、流量調整及び操作等のためのテンキースイッチ２３等が設けられる。
この蓋部材２０は、上側へ回動されると、本体部１０前面に掛止されて該前面を閉鎖する。この閉鎖状態において、蓋部材２０の手前面側には、図１に示すように、前記ディスプレイ装置２１や、電源スイッチ２２、テンキースイッチ２３等が露出される。【００４９】
また、当該シリンジポンプＡを制御する制御部ａ５（図７参照）は、本体部１０内又は蓋部材２０内に具備される。この制御部ａ５は、図示しない記憶装置に記憶された制御プログラムに基づいて中央処理装置（CPU）を機能させる電子回路（所謂マイコン回路等）である。
この制御部ａ５は、第一の異常感知部ａ１と第二の異常感知部ａ２と第三の異常感知部ａ３とのうち、何れか一つ異常感知部による感知信号があったことを条件に、バルブ装置ａ４へ電源を供給し該バルブ装置ａ４を閉動する。さらに、制御部ａ５は、前記閉動と略同時に、ディスプレイ装置２１の表示や、図示しないスピーカからの音声出力により、異常の発生を報知する。
また、同制御部ａ５は、前記複数の異常感知信号が全てない場合には、バルブ装置ａ４への電源を遮断して、バルブ装置ａ４を開動する。
なお、バルブ装置ａ４の他例としては、電源供給により開動し、電源の遮断により閉動する構造とすることも可能である。【００５０】
よって、上記構成のシリンジポンプＡによれば、シリンジ注入器１におけるシリンジ１ｂ、フランジ部１ｂ２又はピストン１ａの装着異常や外れが生じた場合や、想定外の大きさのシリンジ注入器１が装着された場合等に、輸液チューブ２をバルブ装置ａ４によって閉鎖することができる。このため、例えば、前記装着異常等に気が付かないでシリンジポンプＡが用いられ、この状態のまま、患者が腕を挙げたり起き上がったりして、輸液チューブ２の先端側がシリンジポンプＡよりも高くなり、輸液チューブ２内の液体が逆流するサイフォニング現象を生じるのを防ぐことができる。【００５１】
なお、上記シリンジポンプＡによれば、シリンジ注入器１の装着状態の異常を感知した場合に、輸液チューブ２を閉鎖するようにしたが、他例としては、他の異常を感知して輸液チューブ２を閉鎖する構成とすることも可能である。
例えば、図２に示すシリンジポンプＢは、上記シリンジポンプＡにおいて、第一〜三の異常感知部ａ１，ａ２，ａ３等に置換して、流量センサａ６を設けるとともに、該流量センサａ６により検出流量が、所定の流量範囲外である場合に、輸液チューブ２を閉鎖するように構成されている。
流量センサａ６は、例えば、比較的小さい流量を測定可能な流量計（例えば、熱式流量計等）とすればよく、輸液チューブ２の経路中に設けられる。
制御部ａ５は、閾値となる所定の流量範囲を予め記憶している。前記所定の流量範囲は、当該シリンジポンプＢによって液体を吐出した場合の標準的な流量の範囲であり、実験的又は計算により予め決定される。
そして、制御部ａ５は、流量センサａ６によって測定される実測流量が、前記流量範囲よりも大きい場合に、シリンジポンプＢの設置位置が高すぎるものと判断し、輸液チューブ２を閉鎖するとともに、ディスプレイ装置２１の表示や、図示しないスピーカからの音声出力により、異常の発生を報知する。
また、制御部ａ５は、流量センサａ６によって測定される実測流量が、前記流量範囲よりも小さい場合には、シリンジポンプＢの設置位置が低すぎるものと判断し、輸液チューブ２を閉鎖するとともに、ディスプレイ装置２１の表示や、図示しないスピーカからの音声出力により、異常の発生を報知する。
よって、このシリンジポンプＢによっても、サイフォニング現象等を効果的に防ぐことができる。【００５２】
また、さらに他例としては、第一〜三の異常感知部ａ１，ａ２，ａ３及び流量センサａ６を全て備え、これらのうちの全部又は何れかにより異常が感知された場合に、輸液チューブ２をバルブ装置ａ４によって閉鎖する構成とすることも可能である。【００５３】
また、上記実施例では、想定外のサイズのシリンジ注入器１が装着された場合でも装着異常と判断できるようにするために、第一〜二の異常感知部ａ１，ａ２として、シリンジ注入器１等の位置に応じて出力値が連続的に変化するもの（具体的にはポテンショメータ等）を用いたが、他例として、同サイズのシリンジ注入器１の装着状態を感知するのであれば、第一〜二の異常感知部ａ１，ａ２として、リミットスイッチや光電センサ等を用いることも可能である。【００５４】
また、上記実施例によれば、第三の異常感知部ａ３については、特に動作抵抗の少ない好ましい態様として、センサ部５４に光電センサを用いたが、他例としては、センサ部５４にリミットスイッチやその他のセンサを用いることも可能である。【００５５】
また、上記実施例によれば、特に好ましい態様として、制御部ａ５は、第一の異常感知部ａ１と第二の異常感知部ａ２と第三の異常感知部ａ３とのうち、何れか一つ異常感知部による感知信号があったことを条件に、バルブ装置ａ４へ電源を供給し該バルブ装置ａ４を閉動するように構成したが、他例としては、前記閉動の条件を、二以上の異常感知部による感知信号、あるいは全ての異常感知部による感知信号とすることも可能である。【００５６】
また、上記実施例では、蓋部材２０の開閉と、バルブ装置ａ４の動作とは連動していないが、他例としては、これら二つの動作を連動させるようにすることも可能である。
この他例では、蓋部材２０が全閉したことを感知する全閉センサを設け、該全閉センサにより蓋部材２０の全閉状態を感知しない場合には、バルブ装置ａ４を閉動し、また、前記全閉センサにより蓋部材２０の全閉状態を感知し、且つ第一〜三の異常感知部ａ１，ａ２，ａ３（及び／又は流量センサａ６）のうちの何れにおいても異常が感知されない場合には、バルブ装置ａ４を開動するようにする。
【符号の説明】
【００５７】
１：シリンジ注入器
１ａ：ピストン
１ｂ：シリンジ
１ｂ２：フランジ部
２：輸液チューブ
１０：本体部
１１：シリンジ装着部
１２：チューブ挿通部
１３：押動部
２０：蓋部材
３１：シリンジクランプ
４０：挟持機構
４１：挟持基部
４２：フランジ押さえ
５１：被押圧部
ａ１〜ａ３：異常感知部
ａ４：バルブ装置
ａ５：制御部
Ａ，Ｂ：シリンジポンプ
【図１】
2015046397.tif 000003
【図２】
2015046397.tif 000004
【図３】
2015046397.tif 000005
【図４】
2015046397.tif 000006
【図５】
2015046397.tif 000007
【図６】
2015046397.tif 000008
【図７】
2015046397.tif 000009
【図８】
2015046397.tif 000010
【国際調査報告】
2015046397.tif 000011
2015046397.tif 000012
2015046397.tif 000013
2015046397.tif 000014